(57)【特許請求の範囲】
【請求項１】
フェース面に形成され、互いに平行な複数のスコアラインと、
前記フェース面に形成され、前記スコアラインよりも幅が狭い複数の溝と、
を備えたゴルフクラブヘッドにおいて、
前記スコアラインの縁に丸みが形成され、
前記複数の溝が、前記スコアラインと平行であって、かつ、少なくとも各々の前記スコアラインの両側の位置に形成され、
前記溝の幅をＷ、前記スコアラインの両側の位置に形成された前記溝の中心間の距離をＷ１、前記スコアラインの両側の縁の丸みの外側端間の距離をＷ２とすると、
Ｗ２＋Ｗ≦Ｗ１≦Ｗ２＋４×Ｗ
であることを特徴とするゴルフクラブヘッド。
【請求項２】
前記複数の溝が、各々の前記スコアラインの両側の位置にのみ形成されたことを特徴とする請求項１に記載のゴルフクラブヘッド。
【請求項３】
隣接する前記スコアライン間に配置された前記溝の中心間の距離をＷ３とすると、
Ｗ３＞Ｗ１
であることを特徴とする請求項２に記載のゴルフクラブヘッド。
【請求項４】
フェース面に形成され、互いに平行な複数のスコアラインと、
前記フェース面に形成され、前記スコアラインよりも幅が狭い複数の溝と、
を備えたゴルフクラブヘッドにおいて、
前記スコアラインの縁に丸みが形成され、
前記複数の溝が、前記スコアラインと平行であって、かつ、少なくとも各々の前記スコアラインの両側の位置に、前記丸みと前記フェース面の表面との境界線に沿って形成されていることを特徴とするゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている（例えば、特許文献１及び２）。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。また、打球のスピン量を調節するため、スコアラインとは別の溝をフェース面に形成したり（例えば、特許文献２）、複数種類の溝をフェース面に形成すること（例えば、特許文献３）も提案されている。
【先行技術文献】
【特許文献】
【０００３】
【特許文献１】特開平９−８４９０９号公報
【特許文献２】特開２００７−２０２６３３号公報
【特許文献３】特開２０１０−３５８４６号公報
【発明の概要】
【発明が解決しようとする課題】
【０００４】
ここで、競技用のゴルフクラブヘッドのスコアラインに関するルールでは、スコアラインの側壁とフェース面とに内接する半径０．０１０インチの仮想円と同心であって、半径０．０１１インチの仮想円の内側に、スコアラインの縁が位置しなければならないことを原則とするルールが規定されている。このルールを満たすため方策としては、スコアラインの縁に丸みを形成することが挙げられる。
【０００５】
一方、スコアラインはアドレス時にフェース面の向きと目標方向とを合わせる為の指標としての役割がある。スコアラインの縁に丸みを付けると、スコアラインとフェース面との境界が視覚的に曖昧となる場合がある。アドレス時にスコアラインが見え難いと、フェース面の向きと目標方向とを合わせ難くなる。スコアラインの視認性を向上する方策として、スコアラインを着色することも考えられるが、使用により塗料が剥がれたり、或いは、ボールのスピン性能を低下させるおそれがある。
【０００６】
本発明の目的は、スコアラインの視認性を向上することにある。
【課題を解決するための手段】
【０００７】
本発明によれば、フェース面に形成され、互いに平行な複数のスコアラインと、前記フェース面に形成され、前記スコアラインよりも幅が狭い複数の溝と、を備えたゴルフクラブヘッドにおいて、前記スコアラインの縁に丸みが形成され、前記複数の溝が、前記スコアラインと平行であって、かつ、少なくとも各々の前記スコアラインの両側の位置に形成され、前記溝の幅をＷ、前記スコアラインの両側の位置に形成された前記溝の中心間の距離をＷ１、前記スコアラインの両側の縁の丸みの外側端間の距離をＷ２とすると、Ｗ２＋Ｗ≦Ｗ１≦Ｗ２＋４×Ｗであることを特徴とするゴルフクラブヘッドが提供される。
また、本発明によれば、フェース面に形成され、互いに平行な複数のスコアラインと、前記フェース面に形成され、前記スコアラインよりも幅が狭い複数の溝と、を備えたゴルフクラブヘッドにおいて、前記スコアラインの縁に丸みが形成され、前記複数の溝が、前記スコアラインと平行であって、かつ、少なくとも各々の前記スコアラインの両側の位置に、前記丸みと前記フェース面の表面との境界線に沿って形成されていることを特徴とするゴルフクラブヘッドが提供される。
【発明の効果】
【０００８】
本発明によれば、スコアラインの視認性を向上することができる。
【図面の簡単な説明】
【０００９】
【図１】本発明の一実施形態に係るゴルフクラブヘッド１の外観図及びフェース面１０の部分拡大図。
【図２】スコアライン２０及び溝３０の、その長手方向（トウ−ヒール方向）に直交する方向の断面図。
【図３】ＮＣフライス盤による溝３０の形成方法の説明図。
【図４】（Ａ）乃至（Ｅ）は溝３０の他の例を示す断面図。
【図５】（Ａ）及び（Ｂ）は溝３０の他の例を示す外観図。
【発明を実施するための形態】
【００１０】
図１は本発明の一実施形態に係るゴルフクラブヘッド１の外観図及びフェース面１０の部分拡大図、図２はスコアライン２０及び溝３０の、その長手方向（トウ−ヒール方向）に直交する方向の断面図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１１】
ゴルフクラブヘッド１は、そのフェース面（打撃面）１０に複数本のスコアライン２０が形成されている。各々のスコアライン２０はトウ−ヒール方向に延設された、互いに平行な直線状の溝である。本実施形態の場合、各々のスコアライン２０の配設間隔（ピッチ）は等間隔（等ピッチ）であるが、配設間隔が異なっていてもよい。本実施形態において、スコアライン２０の断面形状は、その長手方向の両端部（トウ側端部、ヒール側端部）を除き、同じである。また、各々のスコアライン２０の断面形状は同じである。
【００１２】
スコアライン２０は、一対の側壁２１と、底壁２２とを有し、その断面形状は中心線ＣＬ１で左右対称な台形状に形成されている。なお、スコアライン２０の断面形状は台形状に限られず、Ｖ字状等、他の形状でもよい。スコアライン２０の縁２３には半径ｒの丸みが形成されている。半径ｒは例えば、０．０５ｍｍ以上０．３ｍｍ以下である。線ＢＬは縁２３の丸みとフェース面１０との境界を示す。
【００１３】
フェース面１０には、複数の溝３０が形成されている。この複数の溝３０はスコアライン２０と平行であって、かつ、各々のスコアライン２０の両側の位置にのみ形成されている。なお、溝３０とスコアライン２０とが平行とは、製造上の誤差等の理由から、これらの無限延長線の交差角が、０度以上２０度以下の場合を含む。
【００１４】
溝３０をスコアライン２０の両側にのみ形成することで、個々のスコアライン２０が太く見えて視覚的に強調される。よって、スコアライン２０の縁２３に丸みを形成しても、スコアライン２０の視認性を向上することができる。また、溝３０により打球のバックスピン量を向上することもできる。
【００１５】
本実施形態の場合、溝３０を各々のスコアライン２０の両側の位置にのみ形成したが、少なくともスコアライン２０の両側の位置に形成すればよい。尤も、溝３０を各々のスコアライン２０の両側の位置にのみ形成することで、スコアライン２０の視認性向上機能が最も発揮される。
【００１６】
本実施形態の場合、複数の溝３０はいずれも同じ形状であり、幅Ｗ、深さＤを有しており、その断面形状は方形である。幅Ｗはスコアライン２０の幅（３０度測定法による幅）よりも狭い。幅Ｗは、スコアライン２０の視認性向上の点で、例えば、５０μｍ以上５００μｍ以下であることが望ましい。アイアンクラブセットの場合、幅Ｗをアイアンの番手ごとに異なるものとし、例えば、ロフト角が小さいアイアンクラブについては、相対的に幅Ｗを大きくすることで、各アイアンクラブのスコアライン２０の視認性を同様のものとすることができる。
【００１７】
本実施形態の場合、深さＤはスコアライン２０の深さよりも浅くなっている。競技用ゴルフクラブヘッドでは、フェース面の表面粗さについて一定の制約があり、最大高さ（Ｒｙ）が２５μｍ以下である。したがって、深さＤは５μｍ以上２５μｍ以下であることが好ましい。
【００１８】
本実施形態の場合、溝３０は境界線ＢＬに沿って、フェース面１０に形成されている。境界線ＢＬから縁２３側にはみ出ることなく、フェース面１０に溝３０を形成することで、溝３０の性能に影響を与えずに溝３０を形成することができる。
【００１９】
本実施形態の場合、スコアライン２０の両側の溝３０は、スコアライン２０の中心線ＣＬ１から等距離Ｌの位置に配置されている。なお、距離Ｌは溝３０の中心線ＣＬ２を基準とした。スコアライン２０の両側の溝３０を中心線ＣＬ１から等距離の位置に配置することで、見た目の違和感が無く、スコアライン２０の視認性を向上することができる。溝３０をスコアライン２０に近接すればするほど、見た目の違和感が無く、スコアライン２０の視認性を向上することができる。本実施形態では、スコアライン２０側の溝３０の縁が境界線ＢＬから僅かに離間しているが、境界線ＢＬに溝３０の縁をあわせると好適である。また、溝３０の中心線ＣＬ２間の距離をＷ１、境界線ＢＬ間の距離Ｗ２とすると、距離Ｗ１は下式の関係にあることが好ましい。
Ｗ２＋Ｗ≦Ｗ１≦Ｗ２＋４×Ｗ
【００２０】
次に、スコアライン２０及び溝３０の形成方法について説明する。スコアライン２０は、例えば、鍛造、鋳造、切削加工、レーザ加工により形成することができる。溝３０は、例えば、切削加工、レーザー加工により形成することができる。
【００２１】
ここでは、スコアライン２０を鍛造により形成し、溝３０をミーリング加工により形成する場合を図３を参照して説明する。図３はＮＣフライス盤による溝３０の形成方法の説明図である。
【００２２】
まず、スコアライン２０が鍛造により形成されたゴルフクラブヘッド１の一次成形品１'を作成する。一次成形品１'においては、フェース面１０に溝３０が未加工である。次に、溝３０をミーリング加工により形成する。図３に示すように、溝３０が未加工の一次成形品１'はＮＣフライス盤に治具２を介して固定される。なお、本実施形態の場合、フェース面１０がゴルフクラブヘッドに一体成形された場合について説明するが、フェース面１０を構成するフェース部材と、ヘッド本体とを別部材として接合してもよい。
【００２３】
ＮＣフライス盤は、Ｚ軸回りに回転駆動されるスピンドル４を有し、スピンドル４の下端には切削ツール（エンドミル）５が取り付けられている。切削ツール５の先端形状は溝３０の断面形状に応じたものを使用する。
【００２４】
しかして、ＮＣフライス盤において、フェース面１０の平面座標を設定した後、スピンドル４を回転駆動し、フェース面１０（一次成形品１'）又は切削ツール５を溝３０の形成方向に相対的に移動しながら、フェース面１０を切削する。一つの溝３０を形成すると、切削ツール５をフェース面１０から離間させた後、溝３０の配列方向に切削ツール５を相対的に移動し、次の溝３０を形成することで、順次溝３０が形成される。
【００２５】
なお、フェース面１０に溝３０を形成すると、フェース面１０が磨耗し易くなる場合がある。そのため、溝３０の形成後、フェース面１０の硬度を硬くする表面処理を行うことが好ましい。このような表面処理としては、浸炭処理、窒化処理、軟窒化処理、ＰＶＤ（Physical Vapor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【００２６】
＜他の実施形態＞
上記実施形態では、溝３０の断面形状を方形としたが、他の形状も採用可能である。図４（Ａ）乃至（Ｅ）は溝３０の他の例を示す断面図である。図４（Ａ）の例は、溝３０の断面形状を円弧状とした例である。図４（Ｂ）は、溝３０の断面形状を三角形（二等辺三角形）とした例である。図４（Ｃ）も溝３０の断面形状を三角形とした例であるが、左右非対称な三角形（直角三角形）とした例である。溝３０はこのように左右非対称の断面形状であってもよい。図４（Ｄ）は、溝３０の断面形状を台形とした例である。
【００２７】
図４（Ｅ）は、溝３０の縁に、フェース面から盛り上がった突出部３１を形成した例を示す。同図の例では、溝３０の断面形状が円弧状であるが、他の形状であってもよい。突出部３１を設けたことで、打球のバックスピン量を向上できる。突出部３１は、上記のミーリングのような切削加工により溝３０を形成する場合であれば、切削条件によってバリとして形成できる。また、溝３０をレーザー加工で形成する場合は、レーザの照射条件によって溝３０の形成の結果、自然に形成することができる。
【００２８】
溝３０は、少なくともスコアライン２０の長さを有することが好ましい。この場合、図１に示すように、溝３０の長さをスコアライン２０の長さよりも長くしてもよいし、図５（Ａ）に示すようにスコアライン２０の両端部ＥＮ間の長さとしてもよい。
【００２９】
上記実施形態では、各溝３０が連続した一本の溝を形成しているが、図５（Ｂ）に示すように、同一直線上で部分的に途切れた溝としてもよい。
【図１】
0005638844.tif 000002
【図２】
0005638844.tif 000003
【図３】
0005638844.tif 000004
【図４】
0005638844.tif 000005
【図５】
0005638844.tif 000006